(57)【要約】【課題】絞り加工により真円度が高く、縮管と溝加工を短時間で完了することのできる絞り加工方法を提供すること。【解決手段】回転する主軸２の先端に取り付けた工具取付台３に加工用工具を主軸２と直交方向に摺動可能に配設し、主軸２と対向する位置に配設したワーク固定台４に固定したワークＷを前記加工用工具で絞り加工を施す絞り加工方法において、ワークＷを主軸２と平行に移動させながら、工具取付台３に取り付けた対となる絞りローラＲ１、Ｒ１によって縮管工程を行い、次いで、工具取付台に取り付けた溝加工用ローラＲ２を縮管工程によって縮管された周端部に押し当て溝部Ｗａを形成する。【選択図】図１
2007283386.tif 000002
【特許請求の範囲】
【請求項１】
回転する主軸先端に取り付けた工具取付台に加工用工具を主軸と直交方向に摺動可能に配設し、主軸と対向する位置に配設したワーク固定台に固定したワークを前記加工用工具で絞り加工を施す絞り加工方法において、ワークを主軸と平行に移動させながら、工具取付台に取り付けた対となる絞りローラによって縮管工程を行い、次いで、工具取付台に取り付けた溝加工用ローラを縮管工程によって縮管された周端部に押し当て溝部を形成することを特徴とする絞り加工方法。
【請求項２】
主軸先端に加工用工具を主軸と直交方向に摺動可能に支持する工具取付台と、主軸と対向する位置にワークを固定するワーク固定台とを備え、主軸を回転させながら加工用工具を主軸と直交方向に移動させるとともに、ワークを主軸と平行に移動させてワークに絞り加工を施す絞り加工装置において、工具取付台には、対となる絞りローラと溝加工用ローラとを主軸と直交方向に摺動可能に配設したことを特徴とする絞り加工装置。
【発明の詳細な説明】
【技術分野】
【０００１】
本発明は、パイプ又は円筒状素材の絞り加工を行う絞り加工方法及びその装置に関し、特に、加工精度の向上と加工時間の短縮化を図ることのできる絞り加工方法及びその装置に関するものである。
【背景技術】
【０００２】
従来、例えば、パイプ先端等の円筒状素材（以下、「ワーク」という。）に絞り加工を施し、その端部に溝加工を行う必要がある場合その加工方法としては、ワークを回転主軸に固定し、ターレット台に絞り加工用の絞りローラと溝加工用の溝ローラとを配設し、絞りローラによる縮管工程が終了した後、一旦、ターレット台をワークから遠ざけ、ターレット台を回転させてツールチェンジを行い溝加工を施すようにしている。
【０００３】
この加工方法に用いる絞り加工装置を図４に示す。この絞り加工装置２０は、回転主軸２１に配設したチャック２２と、該回転主軸に対向して配設した芯金２３と、チャック２２に取り付けたワークＷの表面に絞り加工を施す絞りローラＲ３と溝加工を行うための溝加工用ローラＲ４とを配備したターレット台２４とからなる。
このターレット台２４は、回転主軸２１の軸芯方向と直角に移動するように走行台２５に敷設した走行レール２５ａ上に載置し、サーボモータ等の適宜手段で移動可能に配設する。また、走行台２５も、回転主軸２１の軸芯方向に移動可能となるように移動台２６に敷設した移動レール２６ａ上に載置し、走行台２５と同様にサーボモータ等の適宜手段で移動可能に配設する。
そして、ターレット台２４には、絞りローラＲ３と溝加工用ローラＲ４を配設し、ターレット台２４に配備した回動機構（図示省略）によって絞りローラＲ３と溝加工用ローラＲ４とのツールチェンジを可能としている。
（例えば、特許文献１参照）。
【０００４】
上記構成において、被加工物であるワークＷをチャック２２で把持固定し、電動機等の駆動装置Ｍによって回転主軸２１を回転させる。そして、図５（ａ）〜（ｂ）に示すように絞りローラＲ３をワークＷの周面に当接させ、ワークＷの先端を縮管させる。
そして、一旦、ターレット台をワークから遠ざけ、ターレット台２４を回動させ、絞りローラＲ３から溝加工用ローラＲ４に変更し、図５（ｃ）に示すように縮管した先端部分に溝加工用ローラＲ４の凸部Ｒ４ａを押し付け、溝部Ｗａの加工を施すようにしている。
【０００５】
しかし、この絞り加工装置では、縮管時の絞り加工が片側１ローラでの加工となり、縮管後の真円度が低く、縮管の絞り加工終了から溝加工に移行する際、ターレット台を回動しローラを変更するための時間がかかり、加工時間が上記実施例の場合で約２６秒程度かかっていた。更に、ワークを回転主軸のチャックに固定するためにワーク交換時に主軸を停止する必要があり、複数のワークを順次加工する際にサイクルタイムで大幅なロスがでるといった問題があった。
【特許文献１】特開平９−２３９４７２号公報
【発明の開示】
【発明が解決しようとする課題】
【０００６】
本発明は、上記従来の塑性加工方法の有する問題点に鑑み、絞り加工により真円度が高く、縮管と溝加工を短時間で完了することのできる絞り加工方法及びその装置を提供することを目的とする。
【課題を解決するための手段】
【０００７】
上記目的を達成するため、本発明の絞り加工方法は、回転する主軸先端に取り付けた工具取付台に加工用工具を主軸と直交方向に摺動可能に配設し、主軸と対向する位置に配設したワーク固定台に固定したワークを前記加工用工具で絞り加工を施す絞り加工方法において、ワークを主軸と平行に移動させながら、工具取付台に取り付けた対となる絞りローラによって縮管工程を行い、次いで、工具取付台に取り付けた溝加工用ローラを縮管工程によって縮管された周端部に押し当て溝部を形成することを特徴とする。
【０００８】
また、前記絞り加工方法を実施するための、本発明の絞り加工装置は、主軸先端に加工用工具を主軸と直交方向に摺動可能に支持する工具取付台と、主軸と対向する位置にワークを固定するワーク固定台とを備え、主軸を回転させながら加工用工具を主軸と直交方向に移動させるとともに、ワークを主軸と平行に移動させてワークに絞り加工を施す絞り加工装置において、工具取付台には、対となる絞りローラと溝加工用ローラとを主軸と直交方向に摺動可能に配設したことを特徴とする。
【発明の効果】
【０００９】
本発明の絞り加工方法及びその装置によれば、ワークを固定し、ワークを主軸と平行に移動させながら、対となる絞りローラを主軸と直交する方向に摺動移動させてワーク先端を縮管するから、高い真円度の絞り加工を行うことができるとともに、絞り加工から溝加工に移る際にツールチェンジをする必要がなく、更にワークを固定しているワーク固定台は回動しないから、主軸回転を止めることなく次のワークの取替を行って加工することができ、絞り加工のサイクルタイムを従来の２６秒に比べ２０秒程度まで大幅に短縮することのできる絞り加工方法及びその装置を提供することができる。
【発明を実施するための最良の形態】
【００１０】
以下、本発明の塑性加工方法の実施の形態を、図面に基づいて説明する。
【実施例１】
【００１１】
図１〜２に、本発明の絞り加工方法及びその装置の実施例を示す。
【００１２】
本発明の絞り加工装置１は、架体１０上にモータ等の駆動装置Ｍによって回動可能に配設した主軸２と、該主軸２先端に加工用工具を主軸と直交方向に摺動可能に支持する工具取付台３と、主軸２と対向する位置にワークＷを固定するワーク固定台４とを備え、主軸２に配設する工具取付台３には、対となる絞りローラＲ１と溝加工用ローラＲ２とを配設するようにしている。溝加工用ローラＲ２も絞りローラＲ１と同様に、対となるように２個配設するようにしても構わない。
【００１３】
絞りローラＲ１と溝加工用ローラＲ２とを主軸と直交方向に移動させる方法は、特に限定するものではないが、例えば、本出願人が先に特開２００１−１３７９６２として出願した、中空の主軸２内に同軸に配設したカム軸先端に取り付けたカム板によって行う公知の方法を用いることが好ましい。
また、主軸２の中心から絞り加工の際の当たり部として、芯金２ａを伸縮自在に延設した例を示すが、本発明の絞り加工装置１では、対向する絞りローラＲ１、Ｒ１によって絞り加工を施すから、芯金２ｂを配設しなくても構わない。
【００１４】
ワーク固定台４は、主軸２と平行に移動させるための移動機構５を介して架体１０上に配設する。そして、円筒状のワークＷを把持固定するためのチャック部分４ａ、４ａを対向して設け、一方又は両方のチャック部分４ａをシリンダ等の押圧部材４ｂによって押圧し、ワークＷを固定する。移動機構５は、固定したワークＷを、回転する主軸２に対して相対的に移動させることができればよく、ワーク固定台４を架体上に固定し、主軸２を移動可能に配設するようにしてもよい。
【００１５】
上記構成の絞り加工装置１を用いて中空円筒状のワークＷの先端を縮管し、縮管部分に溝加工を施す方法を説明する。
【００１６】
まず、ワーク固定台４を主軸２の先端に配設した工具取付台３に干渉しない場所に位置させ、ワークＷを手動又は自動の搬送装置によってワーク固定台４のチャック部分４ａによって把持固定する（図１参照）。
【００１７】
そして、駆動装置Ｍによって主軸２を回動させ、対向する絞りローラＲ１、Ｒ１を工具取付台３の半径方向（主軸２の軸芯と直交する方向）に摺動させてワークＷの周面に当接させつつ、ワークＷを主軸２と平行に移動させることによって、図３（ｂ）に示す縮管加工を施すようにする。ワークＷの移動は、ワーク固定台４を主軸２から遠ざかる方向に移動させて行わせている。
【００１８】
次いで、絞りローラＲ１、Ｒ１を拡げ、ワークＷの位置を溝部分の加工位置に併せて移動させた後、溝加工用ローラＲ２を主軸２と直交方向で内側に摺動移動させ、凸部Ｒ２ａを縮管部分に押し当てて溝部Ｗａを加工し、図３（ｃ）に示す溝加工を終了させる。
【００１９】
以上、本発明の絞り加工方法及びその装置について、実施例に基づいて説明したが、本発明は上記実施例に記載した構成に限定されるものではなく、その趣旨を逸脱しない範囲において適宜その構成を変更することができるものである。
【産業上の利用可能性】
【００２０】
本発明の絞り加工方法及びその装置は、ワークを固定して対となる絞りローラによって絞り加工を施し、ツールチェンジすることなく溝加工を施すことができるという特性を有していることから、高い真円度を要求するワークの絞り加工に適用するだけでなく、短いサイクルタイムを要求する絞り加工にも好適に用いることができる。
【図面の簡単な説明】
【００２１】
【図１】本発明の絞り加工装置の概略正面図である。
【図２】本発明の絞り加工装置の工具取付台の正面図である。
【図３】本発明の絞り加工装置を使った加工方法を示す説明図で、（ａ）は、絞り加工前の状態を、（ｂ）は、絞り加工後の状態を、（ｃ）は、溝加工終了後の状態を示す。
【図４】従来の絞り加工装置の概略平面図である。
【図５】従来の絞り加工装置を使った加工方法を示す説明図で、（ａ）は、絞り加工前の状態を、（ｂ）は、絞り加工後の状態を、（ｃ）は、溝加工終了後の状態を示す。
【符号の説明】
【００２２】
１    絞り加工装置
２    主軸
３    工具取付台
４    ワーク固定台
Ｒ１  絞りローラ
Ｒ２  溝加工用ローラ
【図１】
2007283386.tif 000003
【図２】
2007283386.tif 000004
【図３】
2007283386.tif 000005
【図４】
2007283386.tif 000006
【図５】
2007283386.tif 000007